(57)【要約】  【課題】  ポット苗を移植するための穴を掘る作業を、腰をかがめることなく行えるようにする。  【解決手段】  円筒の下端に刃先が形成された穴掘り刃３と、該穴掘り刃３の上端から側方へ突設された腕部４と、該腕部４の端部に下端近くが接続されるとともに前記穴掘り刃３の中心軸と略平行に垂直方向に支持された支柱５と、該支柱５の下端に接続されて前記穴掘り刃３側の前方から後方へ下に凸の曲面形状をした支点当接面９と、前記支柱５の上端に設けられたハンドル１１とを備える。【選択図】  図１
2005287406.tif 000002
【特許請求の範囲】
【請求項１】
円筒の下端に刃先が形成された穴掘り刃と、
該穴掘り刃の上端から側方へ突設された腕部と、
該腕部の端部に下端近くが接続されるとともに前記穴掘り刃の中心軸と略平行に垂直方向に支持された支柱と、
該支柱の下端に接続されて前記穴掘り刃側の前方から後方へ下に凸の曲面形状をした支点当接面と、
前記支柱の上端に設けられたハンドルと、
を備えたことを特徴とするポット苗用穴掘り器。
【請求項２】
請求項１に記載のポット苗用穴掘り器において、
前記支点当接面を上下方向調節自在に前記支柱に支持する調節機構を設けたことを特徴とするポット苗用穴掘り器。
【請求項３】
請求項２に記載のポット苗用穴掘り器において、
前記調節機構は、前記支柱を互いの回転を抑制しかつ摺動自在に嵌合された外筒と中軸とからなる二重軸構造とし、前記外筒に前記腕部と前記ハンドルを接続し、前記中軸の下端に支点当接面を接続し、かつ中軸の上部に雄ねじを形成して前記ハンドルの上方へ突出させるとともに、前記雄ねじに上下動が抑制された摘まみを螺合して構成したことを特徴とするポット苗用穴掘り器。
【発明の詳細な説明】
【技術分野】
【０００１】
本発明は、ポット苗を畑に移植するときに、地面に移植用の穴を掘るために使用するポット苗用穴掘り器に関し、詳しくは作業者が穴掘り作業をする際に、腰をかがめることなく立位のままで穴掘り作業を可能にしたポット苗用穴掘り器に関する。
【背景技術】
【０００２】
従来、農作物、例えば、ナス、タバコ、カボチャ、トマト、キュウリ、イチゴ等では、ポット内で育苗したポット苗を、畑に移植する栽培方法が普及している。ポット苗を畑に移植する際は、地面に穴を掘り、その穴の中に移植している。この穴掘りに使用する器具として、従来は、図５に示されるように、ポット苗の外周と略同じかそれよりもやや大きい径をした円筒状の穴掘り刃１の上部にハンドル２を取り付けた穴掘り器がある。この穴掘り器を使用する場合は、穴掘り刃１の部分を地面に押し当ててから、手でハンドル２を垂直に保ちながら、足を穴掘り刃１の上端に乗せて踏み込み、穴掘り刃１が地中の適度な深さに達したら、足を外し、中腰状態で手でハンドル２を水平に廻すことにより土を切り、引き上げる。この作業を行う場合、大きな腕力を必要とするので、その都度中腰の姿勢をとらざるを得ず、大きな疲労が生じる。
【０００３】
穴掘り刃１は内側に土が詰まった状態で持ち上げられるため、地面には刃１の形状をした穴が残る。この残った穴の中に、ポット苗を入れて土を盛り周囲を踏み固めることで移植が完了する。なお、大規模栽培のため、ポット苗用の穴掘り作業を機械化したものとして、特許文献１に記載の「ペーパーポット苗定植用穴掘り機」が知られている。この穴掘り機を使用すると、労力の負担を少なくして多数のポット苗用の穴を効率よく掘ることができる。
【特許文献１】特開平１１−８９３２１号公報
【発明の開示】
【発明が解決しようとする課題】
【０００４】
上述した穴掘り機を使用すると、効率よく穴を掘ることができるものの、穴掘りを機械化する程の栽培規模でない場合は、やはり、上述した人力による穴掘り器が用いられている。この穴掘り器を使用するには、土が詰まった穴掘り刃１を中腰の状態で腕の力だけで、ハンドル２を用いて水平に廻して持ち上げる作業があり、そのときは腰をかがめなければならず、腰と腕の負担となり、長時間作業を続けると、腰を痛めることもあった。そこで、本発明は、腰と腕に負担をかけることなく穴掘り作業を可能にするポット苗用穴掘り器を提案することを目的とした。
【課題を解決するための手段】
【０００５】
上記課題を解決するために、本発明に係るポット苗用穴掘り器は、円筒の下端に刃先が形成された穴掘り刃と、該穴掘り刃の上端から側方へ突設された腕部と、該腕部の端部に下端近くが接続されるとともに前記穴掘り刃の中心軸と略平行に垂直方向に支持された支柱と、該支柱の下端に接続されて前記穴掘り刃側の前方から後方へ下に凸の曲面形状をした支点当接面と、前記支柱の上端に設けられたハンドルとを備えたことを特徴とする。
なお、前記支点当接面を上下方向調節自在に前記支柱に支持する調節機構を設けることが好ましい。
また、前記調節機構は、前記支柱を互いの回転を抑制しかつ摺動自在に嵌合された外筒と中軸とからなる二重軸構造とし、前記外筒に前記腕部と前記ハンドルを接続し、前記中軸の下端に支点当接面を接続し、かつ中軸の上部に雄ねじを形成して前記ハンドルの上方へ突出させるとともに、前記雄ねじに上下動が抑制された摘まみを螺合して構成することが可能である。
【発明の効果】
【０００６】
以上述べたように本発明によれば、穴掘り刃を腕部と支柱により支持するとともに、支柱下端に支点当接面を設けたことで、地中に穴掘り刃を進入させた後、支点当接面が地面に当接された状態から支柱上端のハンドルを立位のまま左右前後に数回振り外側に倒すと、左右に振ったことと梃子の原理で土が切れ、土の詰まった穴掘り刃が、簡単に持ち上げられる。これらの作業は中腰でなく立位の姿勢で、しかも腕の力をあまり使わず腕、腰の疲労を大幅に軽減できる。
【発明を実施するための最良の形態】
【０００７】
以下、図に基づいて本発明の実施形態を説明する。
図１は本発明に係るポット苗用穴掘り器の実施形態を示す斜視図である。図において、３は穴掘り刃であり、上部がやや広がった円筒形をして下端に刃が形成されており、外径は移植するポット苗の外径と同じかやや大きい。穴掘り刃３の上端には直径方向に、腕部４が水平方向に接続されている。腕部４は、穴掘り刃３の上端から右方向に延設されて、パイプからなる支柱５に接続されている。腕部４は支柱５の下端近くに接続され、腕部４と支柱５は直角に保持される。支柱５の下端と中間部の内側には、円盤状のブッシュ６，７が嵌着されている。ブッシュ６，７の中心部には、それぞれ四角形の孔が形成されて、角棒８が上下方向摺動自在に挿入されている。角棒８の下端には、金属板を下に凸の弓形に湾曲させた支点当接面９が接続されている。角棒８の上部には、雄ねじ１０が形成されている。
【０００８】
また、支柱５の上端にはハンドル１１が水平方向に接続されている。なお、図面ではハンドル１１が腕部４と平行な方向に配置されているが、ハンドル１１を９０度回転させて腕部４と交叉する方向に接続することも可能である。ハンドル１１の上側中央部分に、コ字形に折曲した押さえ金具１２が取り付けられている。この押さえ金具１２とハンドル１１の中心部分には孔が形成されて、角棒８の上端の雄ねじ１０が挿通されているとともに、押さえ金具１２の下側に円形ナット１３が挿入されて、雄ねじ１０が円形ナット１３に螺合されている。この円形ナット１３を回転させると、円形ナット１３に螺合されている雄ねじ１０が上下に移動し、角棒８の下端の支点当接面９が上昇下降する。
【０００９】
このように構成されたポット苗用穴掘り器を使用する場合は、地面に掘ろうとする穴の深さに合わせて、円形ナット１３を回し支点当接面９の高さ位置を調節する。すなわち、深い穴を掘ろうとする場合は支点当接面９の位置を高くし、浅い穴を掘ろうとする場合は支点当接面９の位置を低くする。支点当接面９の高さ調節がすんだら、図２に示されるように、ハンドル１１および支柱５を持って、穴掘り刃３を地面Ｇの穴掘り位置に下ろす。次に、支柱５を垂直に保持しながら、穴掘り刃３を足で踏みつけながら、地中に押し込む。
【００１０】
穴掘り刃３の先端が地中に進入して掘ろうとする穴の深さに達したら、足を穴掘り刃３から外す。このとき、図３に示されるように、支点当接面９は略地面Ｇの位置の高さとなる。次に、ハンドル１１を握り、地面Ｇに接している支点当接面９を支点にして支柱５を外側へ倒す。すると、図４に示されるように、穴掘り刃３は内側に土を保持したまま、上方に持ち上げられて地面Ｇから離れ、下方には掘られた穴Ｈが残る。次に、穴掘り刃３の内側の土を掘られた穴Ｈの近くに落として作業を終了する。掘られた穴Ｈには、次の作業でポット苗が植えられて、掘り取られた土がポット苗の周囲に盛られる。
【００１１】
このように、本発明に係るポット苗用穴掘り器では、穴掘り刃３により地面Ｇに穴Ｈを掘った後の土を持ち上げる作業が、支点当接面９を支点にした支柱５と腕部４の梃子の動作により、ハンドル１１を横に倒す動作が穴掘り刃３を上昇させる動作に変換されるため、腰をかがめることなく行えるようになる。その結果、穴掘り作業が楽に行えるようになる。
【産業上の利用可能性】
【００１２】
本発明は、ポット苗を移植するための穴を掘る以外には、ポット苗でない苗を移植するための穴や、球根を植えるための穴を掘る場合にも利用可能である。
【図面の簡単な説明】
【００１３】
【図１】本発明に係るポット苗用穴掘り器の一部を破断して示した斜視図である。
【図２】使用状態の説明図である。
【図３】使用状態の説明図である。
【図４】使用状態の説明図である。
【図５】従来例を示す外観図である。
【符号の説明】
【００１４】
３  穴掘り刃
４  腕部
５  支柱
６  ブッシュ
７  ブッシュ
８  角棒
９  支点当接面
１０  雄ねじ
１１  ハンドル
１２  押さえ金具
１３  円形ナット
Ｇ  地面
Ｈ  穴
【図１】
2005287406.tif 000003
【図２】
2005287406.tif 000004
【図３】
2005287406.tif 000005
【図４】
2005287406.tif 000006
【図５】
2005287406.tif 000007